(57)【特許請求の範囲】
【請求項１】
ワイヤレス通信のためのアクセスポイント装置であって、
前記アクセスポイント装置に装備され、隣接するセルからエアインタフェースを傍受することによってネットワークの少なくとも１つのセルに対応する支援情報を集めるネットワークインタフェースと、
前記アクセスポイント装置に装備され、ユーザ機器に通信チャネルを提供する第１の無線機、ここにおいて、前記通信チャネルは前記ユーザ機器と前記ネットワークの前記少なくとも１つのセルとの間の接続を提供する、と、
前記アクセスポイント装置に装備され、前記ネットワークインタフェースによって前記ユーザ機器に前記少なくとも１つのセルから集められる前記支援情報を備える支援情報メッセージを提供する第２の無線機、ここにおいて、前記第２の無線機は前記第１の無線機とは異なる帯域で、より低い電力を持つ無線リンクを提供するよう適合され、前記支援情報が、前記第１の無線機によって新たに利用可能な通信リンクのシステム取得を支援するために、前記ユーザ機器によって利用されるようにさらに適合される、と、
を備える装置。
【請求項２】
前記支援情報は、前記第１の無線機によって提供される前記通信チャネルを介する通信に影響を与えるために前記ユーザ機器によって利用されるように適合される、請求項１に記載の装置。
【請求項３】
前記支援情報が、前記ユーザ機器と前記ネットワークの前記少なくとも１つのセルとの間の通信リンクの少なくとも１つのシステム取得を支援するために、前記ユーザ機器によって利用されるように適合される、請求項１に記載の装置。
【請求項４】
前記支援情報が、前記ユーザ機器に低電力状態からウェイクアップするように命令するウェイクアップインジケータを備える、請求項１に記載の装置。
【請求項５】
前記第１の無線機が、ＷＷＡＮリンクを提供するように適合される、請求項１に記載の装置。
【請求項６】
前記ユーザ機器が低電力状態にあるとき、前記第２の無線機が前記ユーザ機器に前記支援情報を提供するように構成される、請求項１に記載の装置。
【請求項７】
前記ユーザ機器が接続モードにあるとき、前記第２の無線機が前記ユーザ機器に前記支援情報を提供するように構成される、請求項１に記載の装置。
【請求項８】
前記ユーザ機器がアイドル状態モードにあるとき、前記第２の無線機が前記ユーザ機器に前記支援情報を提供するように構成される、請求項１に記載の装置。
【請求項９】
前記支援情報が、前記少なくとも１つのセルとのエアインタフェースに対応するチャネル測定、前記少なくとも１つのセルとの前記エアインタフェースに対応する周波数情報、前記少なくとも１つのセルからの基準信号の強度、前記ネットワークにおける複数のセルからの基準信号のランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、請求項１に記載の装置。
【請求項１０】
前記ネットワークインタフェースが、前記少なくとも１つのセルに対応するエアインタフェースを傍受するネットワーク傾聴回路を備える、請求項１に記載の装置。
【請求項１１】
前記ネットワークインタフェースは、前記ネットワークと通信するためにインターネット接続を利用するバックホール接続を備える、請求項１に記載の装置。
【発明の詳細な説明】
【技術分野】
【０００１】
本願は、概してワイヤレス通信に関し、より具体的にはフェムトセルユニットとのワイヤレス通信の取得のための方法及びシステムに関する。
【背景技術】
【０００２】
ワイヤレス通信システムは、複数のユーザへの様々なタイプの通信（例えば、音声、データ、マルチメディアサービスなど）を提供するように広く展開されている。高いレートで、かつマルチメディアのデータサービスを求める需要が急速に高まっているので、強化されたパフォーマンスを有する効率的、かつ頑強な通信システムを実行する挑戦が存在する。
【０００３】
ここ数年、ユーザは、固定回線ブロードバンド通信をモバイルブロードバンド通信に交換し始め、特に、ユーザの住居または職場で、より良い音声品質、信頼性のあるサービス、及び低価格を益々求めている。
【０００４】
現在実施されているモバイル電話ネットワークに加えて、ユーザの住居もしくは職場にインストールされ、既存のブロードバンドインターネット接続を使用して強化されたインドアワイヤレスカバレッジをモバイルユニットに提供し得る、新たな種類の小型基地局が出現した。そのような個人的なミニチュア基地局は、概してフェムトセルとして、あるいは代わりとして、アクセスポイント基地局、ホームノードＢ（ＨＮＢ）、もしくはホームｅノードＢ（ＨｅＮＢ）として知られている。通常、そのようなミニチュア基地局は、ＤＳＬルータもしくはケーブルモデムを介してインターネット及びモバイルオペレータのネットワークに接続され、これによりユーザのＵＥとインターネットとの間に接続を提供する。
【０００５】
ワイヤレス通信ネットワークにおいて、モバイル局、アクセス端末（ＡＴ）、もしくはユーザ機器（ＵＥ）は通常、１つまたは複数のアクセスノード（例えば、マクロセル、マイクロセル、ピコセル、フェムトセル、基地局など）を識別するために定義された周波数スペクトルをスキャンし、これらのアクセスノードを通じてワイヤレス通信サービスを獲得し得る。これは、システム取得(system acquisition)と度々称され、通常、ＵＥがある程度の期間オフであった後に電源をオンにされるとき、ＵＥがカバレッジの欠如から回復するとき、あるいはそれが２つの異なるネットワーク（例えば、２Ｇと３Ｇネットワーク）の間を切り替わるときに起こる。これらの場合、ＵＥは概して、キャリア周波数候補のリストを通じて検索する。各周波数に対して、ＵＥは、検出された、または見つけられた最も強力な基地局からプリアンブルを検出、あるいはキャリア信号の位相及びスクランブリングコードを取得するように企み得る。周波数リストの長さは、実際のシナリオに依存する。例えば、ＵＥが、電源がオフにされていた間にそのホームカバレッジエリア（例えば、サービス領域、州、都市、国など）の外に移動された場合、その時周波数リストは非常に長くなり得る。ほとんどの場合、正確なキャリア周波数は識別されておらず、周波数スキャンプロセスは、周波数帯域が特定され得る大まかな周波数スキャンと、それに続く、周波数帯域内の特定のチャネルがスキャンされ得る細かな周波数スキャンと、を伴う。セル、もしくは基地局取得がその後、細かな周波数スキャンの間にエネルギーが見つけられる各チャネル上でなされ得る。セル取得の間、ＵＥは、通常好ましくない多数の検索すべき仮説(hypotheses)もしくは組み合わせである、周波数及びコードスペースの両方でサービスを検索する。適切な基地局が選択されると、ＵＥは選択された基地局を介してデータ及び／もしくは音声セッションを確立するためにシグナリングメッセージを通信する準備が整う。
【０００６】
アクセスノードを特定し、スクランブリングコード及び位相を取得するためにＵＥによって実行されるスキャンに起因して、取得プロセスは顕著に長い時間をかけ得る。結果として、取得プロセスを迅速に処理し、ならびに／あるいは向上させる方法は、有益であり得る。
【発明の概要】
【０００７】
方法及びシステムは、ユーザ機器とフェムトセルユニットとの間のワイヤレスリンクの援助された取得を提供する。タイミング及び／もしくは周波数情報の最初のキャリブレーションの後、ユーザ機器は低電力状態に入る。フェムトセルユニットは、１つまたは複数の隣接するセルのエアインタフェースを傍受するネットワーク傾聴モジュールを使用してシステム更新をモニタリングする。トリガイベントの際に、フェムトセルユニットは、例えばエアインタフェースのタイミング及び／もしくは周波数における変化に対応するタイミング及び／もしくは周波数情報のような支援情報を、例えばワイヤレスパーソナルエリアネットワークインタフェースのような第２の無線機を介して、提供する。従ってユーザ機器は、低電力状態に留まり、ワイヤレスワイドエリアネットワークインタフェースに関する更新を受信し得る。その後、ユーザ機器は、ウェイクアップ（ｗａｋｅ−ｕｐ）の際、例えばそのタイミング及び／もしくは周波数を再キャリブレートするために支援情報を利用し得る。従って、フェムトセルユニットとのワイヤレスリンクの取得は迅速に処理され得る。
【０００８】
開示の態様において、ワイヤレス通信のための装置は、ネットワークの少なくとも１つのセルに対応する支援情報を集めるネットワークインタフェース、通信チャネルをユーザ機器に提供する第１の無線機、及びユーザ機器に少なくとも１つのセルから集められた支援情報を含む支援情報メッセージを提供する第２の無線機を含む。
【０００９】
開示の別の態様において、ワイヤレス通信の方法は、ユーザ機器との第１のワイヤレスリンクを調整するための支援情報を判断すること、第１のワイヤレスリンクとは異なる第２のワイヤレスリンクを介して支援情報をユーザ機器に送信すること、及び第１のワイヤレスリンクを介してユーザ機器と通信することを含む。ここにおいて、通信することは、支援情報に対応する第１のワイヤレスリンクへの調整を利用する。
【００１０】
開示のまた別の態様において、ワイヤレス通信の方法は、フェムトセルとの第１の無線リンクに対応するタイミング及び／もしくは周波数情報のシステムのキャリブレーションを実行すること、フェムトセルとの第１の無線リンクとは異なるフェムトセルとの第２の無線リンクを介して支援情報を受信すること、支援情報に従ってフェムトセルとの第１の無線リンクのタイミング及び／もしくは周波数特性を調整することを含み、支援情報はフェムトセルとの第１の無線リンクに対応するタイミング及び／もしくは周波数情報の調整に対応する。
【００１１】
開示のまた別の態様において、ワイヤレス通信のための装置は、フェムトセルとの第１の無線リンクに対応するタイミング及び／もしくは周波数情報の最初のキャリブレーションを実行する手段、フェムトセルとの第１の無線リンクとは異なるフェムトセルとの第２の無線リンクを介して、支援情報を受信する手段、及び支援情報に従ってフェムトセルとの第１の無線リンクのタイミング及び／もしくは周波数特性を調整する手段を含み、支援情報はフェムトセルとの第１の無線リンクに対応するタイミング及び／もしくは周波数情報の調整に対応する。
【００１２】
開示のまた別の態様において、ワイヤレス通信のための装置は、ユーザ機器との第１のワイヤレスリンクを調整するための支援情報を判断する手段、第１のワイヤレスリンクとは異なる第２のワイヤレスリンクを介して支援情報をユーザ機器に送信する手段、第１のワイヤレスリンクを介してユーザ機器と通信する手段を含み、ここにおいて通信する手段は支援情報に対応する調整を利用するように構成される。
【００１３】
開示のまた別の態様において、コンピュータプログラム製品は、ユーザ機器との第１のワイヤレスリンクを調整するための支援情報を判断し、第１のワイヤレスリンクとは異なる第２のワイヤレスリンクを介して支援情報をユーザ機器に送信し、第１のワイヤレスリンクを介してユーザ機器と通信するコードを有するコンピュータ読取可能媒体を含み、通信することは支援情報に対応する調整を利用する。
【００１４】
開示のまた別の態様において、ワイヤレス通信のための装置は、少なくとも１つのプロセッサ、及びその少なくとも１つのプロセッサに結合されたメモリを含み、その少なくとも１つのプロセッサは、ユーザ機器との第１のワイヤレスリンクを調整するための支援情報を判断し、第１のワイヤレスリンクとは異なる第２のワイヤレスリンクを介して調整情報をユーザ機器に送信し、第１のワイヤレスリンクを介してユーザ機器と通信するように構成され、通信することは調整情報に対応する調整を利用する。
【００１５】
開示のこれらの、及び他の態様は、以下に続く詳細な説明の検討の際に当業者に容易に明らかになる。
【図面の簡単な説明】
【００１６】
【図１】処理システムを用いる装置のためのハードウェア実装の例を例示する概念図。
【図２】例示的なワイヤレス通信システム。
【図３】ネットワーク環境内でホームノードＢ（ＨＮＢ）の展開を有効にする例示的な通信システム。
【図４】ＷＷＡＮリンク及びＷＰＡＮリンクを介してＨＮＢと通信するＵＥを例示する概略ブロック図。
【図５】開示の１つの態様に従ってプロセスを例示するコールフロー図。
【図６】図５のプロセスをさらに例示するフローチャート。
【図７】開示の態様に従って別のプロセスを例示するコールフロー図。
【図８】図７のプロセスをさらに例示するフローチャート。
【詳細な説明】
【００１７】
「例示的（ｅｘｅｍｐｌａｒｙ）」という言葉は「例、事例、例示としての役割をする」を意味するために本明細書で使用される。「例示的」として本明細書に記述されている任意の実施例は、他の実施例より有利、もしくは好まれると必ずしも解釈されるべきではない。本明細書で記述される技法は、符号分割多元接続（ＣＤＭＡ）ネットワーク、時分割多元接続（ＴＤＭＡ）ネットワーク、周波数分割多元接続（ＦＤＭＡ）ネットワーク、直交周波数多重（ＯＦＤＭ）ネットワーク、シングルキャリアＦＤＭＡ（ＳＣ−ＦＤＭＡ）ネットワークなどのような様々なワイヤレス通信ネットワークのために使用され得る。「ネットワーク（ｎｅｔｗｏｒｋ）」及び「システム（ｓｙｓｔｅｍ）」という用語は度々交換して使用される。ＣＤＭＡネットワークは、ユニバーサル地上無線アクセス（ＵＴＲＡ）、ｃｄｍａ２０００、などのような無線技術を実装し得る。ＵＴＲＡは、広帯域ＣＤＭＡ（Ｗ−ＣＤＭＡ）及びローチップレート（ＬＣＲ）ＴＤ−ＳＣＤＭＡを含む。ｃｄｍａ２０００は、ＩＳ−２０００、ＩＳ−９５、及びＩＳ−８５６標準規格をカバーする。ＴＤＭＡネットワークは、移動通信のためのグローバルシステム（ＧＳＭ（登録商標））のような無線技術を実装し得る。ＯＦＤＭネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどのような無線技術を実装し得る。ＵＴＲＡ、Ｅ−ＵＴＲＡ、及びＧＳＭは、ユニバーサルモバイル通信システム（ＵＭＴＳ）の一部である。ロングタームエボリューション（ＬＴＥ）は、Ｅ−ＵＴＲＡを使用するＵＭＴＳのアドバンスドリリースである。ＵＴＲＡ、Ｅ−ＵＴＲＡ、ＧＳＭ、ＵＭＴＳ、及びＬＴＥは、「第３世代パートナーシッププロジェクト（３ＧＰＰ）」という名称の団体からの文書に記述されている。ｃｄｍａ２０００は、「第３世代パートナーシッププロジェクト２（３ＧＰＰ２）」という名称の団体からの文書に記述されている。これらの様々な無線技術及び標準規格は当技術分野において既知である。
【００１８】
図１は、処理システム１１４を用いる装置１００のためのハードウェア実装の例を例示する概念図である。この例において、処理システム１１４は、概してバス１０２によって表されるバスアーキテクチャを実装され得る。バス１０２は、処理システム１１４の特定のアプリケーション及び全体の設計制限に依存する任意の数の相互接続するバス及びブリッジを含み得る。バス１０２は概してプロセッサ１０４によって表される１つまたは複数のプロセッサ、及び概してコンピュータ読取可能媒体１０６によって表されるコンピュータ読取可能媒体を含む様々な回路を互いにリンクする。バス１０２はまた、タイミングソース、周辺機器、電圧調節器、及び電力管理回路のような様々な他の回路もリンクし得、これらは当技術分野では周知であり、従ってこれ以上は説明されない。バスインタフェース１０８はバス１０２とトランシーバ１１０との間にインタフェースを提供する。トランシーバ１１０は送信媒体を介して様々な他の装置と通信する手段を提供する。装置の本質に依存して、ユーザインタフェース１１２（例えば、キーパッド、ディスプレイ、スピーカ、マイクロフォン、ジョイスティック）も提供され得る。
【００１９】
プロセッサ１０４は、コンピュータ読取可能媒体１０６に格納されるソフトウェアの実行を含む、一般的な処理、ならびにバス１０２を管理することを担っている。プロセッサ１０４によって実行されるとき、ソフトウェアは、処理システム１１４に任意の特定の装置用に以下で記述される様々な機能を実行させる。コンピュータ読取可能媒体１０６はまた、ソフトウェアを実行するときプロセッサ１０４によって操作されるデータを格納するためにも使用され得る。
【００２０】
図２は、様々な開示された実施例及び態様が実装され得る、多くのユーザをサポートするように構成された例示的なワイヤレス通信システム２００を例示している。図２で示されているように、例として、各マクロセル２０２がノードＢ（ＮＢ）、ｅノードＢ（ｅＮＢ）などとしても様々に知られる、（基地局２０４ａ−２０４ｇのような）対応する基地局２０４によってサービス提供される状態で、システム２００は、例えばマクロセル２０２ａー２０２ｇのような複数のセル２０２に関する通信を提供する。各マクロセル２０２は２つ以上のセクタにさらに分割され得る。基地局２０４のそれぞれが、適切にコアネットワーク（例示されていない）に連結され得、これにより情報が様々な基地局２０４の間で、ならびにいくつかの例ではインターネットに渡されることが可能になる。アクセス端末（ＡＴ）などとしても様々に知られる、固定のもしくはモバイルの局２０６ａ−２０６ｋを含む様々なＵＥ２０６は、システム全体に渡って分散させられている。各ＵＥ２０６は、例えば、基地局２０４がアクティブか、ならびにそれがソフトハンドオフにあるかに依存して、所与の時にダウンリンク（ＤＬ）及び／もしくはアップリンク（ＵＬ）上で１つまたは複数の基地局２０４と通信し得る。ワイヤレス通信システム２００は、広範な地理的領域に渡ってサービスを提供し得、例えば、マクロセル２０２は近隣にあるいくつかのブロックをカバーし得る。別の例において、いわゆるマイクロセル、もしくはピコセルのようなより小さなセル（つまり、より小さな地理的サービスエリアを有す）によって、マクロセル２０２は増強させられ得る、もしくはマクロセルの１つまたは複数が交換され得る。以下で論じられるように、ワイヤレス通信システム２００は、さらに小さな、かつより特定の地理的カバレッジエリアを有するフェムトセルによってさらに増強され得る。
【００２１】
概して、ＵＥ２０６がオンに切り替えられたとき、パブリックランドモバイルネットワーク（ｐｕｂｌｉｃ  ｌａｎｄ  ｍｏｂｉｌｅ  ｎｅｔｗｏｒｋ）（ＰＬＭＮ）が選択され、ＵＥ２０６は、キャンプ（ｃａｍｐ）するこのＰＬＭＮの適切なセルを検索する。無線アクセス技術（ＲＡＴ）間のセル選択、及びセル再選択のための基準は概して様々な無線基準に依存する。ＲＡＴに加えて、ＰＬＭＮタイプも同様に異なり得る。ＵＥ２０６は、選択されたＰＬＭＮの適切なセルを検索し、利用可能なサービスを提供するそのセルを選び、その制御チャネルに合わせる。この選ぶことは、「セルにキャンプすること」として知られる。ＵＥ２０６は、必要ならば、その後、選ばれたセルの登録エリアにその存在を登録することになり、ならびに、成功した位置登録の結果として、選択されたＰＬＭＮが登録されたＰＬＭＮになる。
【００２２】
ＵＥ２０６がより適切なセルを見つけた場合、それは、そのセル上を再選択し、そこにキャンプする。新たなセルが異なる登録エリアにある場合、位置登録が実行される。必要であれば、ＵＥ２０６は定期的な時間インターバルで、より優先度の高いＰＬＭＮを検索し、別のＰＬＭＮが選択された場合適切なセルを検索し得る。
【００２３】
図３は、ネットワーク環境内のフェムトセルの展開を有効にする例示的な通信システムを例示する。図３において示されているように、システム３００は、ＨＮＢ、ＨｅＮＢ、フェムトアクセスポイント（ＦＡＰ）、もしくはアクセスポイント基地局としても様々に知られる、フェムトセルユニット３１０を含む。ここにおいて、フェムトセルユニット３１０は、ユーザ住宅３３０のような小さなスケールのネットワーク環境にインストールされ、関連付けられた(associated)及び外部の(alien)ＵＥ３２０ａ及び３２０ｂにサービス提供するように構成される。フェムトセルユニット３１０は、バックホール接続の方法によって、ＤＳＬルータ、ケーブルモデム、もしくは他の適切なインターネットアクセスポイント（示されていない）を介して、インターネット３４０及びモバイルオペレータコアネットワーク３５０に結合され得る。さらに、フェムトセルユニット３１０は、マクロセル基地局３６０の１つまたは複数によってブロードキャストされたエアインタフェースを傍受する(sniff)ネットワーク傾聴回路(network listen circuitry)３７０を利用して１つまたは複数のマクロセル基地局３６０に通信可能に結合され得る。このネットワーク傾聴モジュール及びその機能性は、以下でさらに詳細に論じられる。
【００２４】
本明細書で説明される実施例は３ＧＰＰの技術用語を使用しているけれども、その実施例は３ＧＰＰ技術と同様に３ＧＰＰ２技術、及び他の既知の、かつ関連する技術にも適用され得ることは理解されるべきである。本明細書で記述されるそのような実施例において、フェムトセルユニット３１０の所有者は、例えば、モバイルオペレータコアネットワーク３５０を通じて提供される、ＨＳＰＡのプロバイダからの３Ｇモバイルサービスのようなモバイルサービスに加入し、例えばＵＥ３２０のようなＵＥは、マクロセルラ環境、及び住宅の小さなスケールのネットワーク環境の両方において動作することができる。従ってフェムトセルユニット３１０は任意の既存のＵＥ３２０と下位互換的であり得る。
【００２５】
図４は、ＨＮＢ４２０によってサービス提供されるエリアにおけるＵＥ４１０を概念的に例示するブロック図である。開示の様々な態様において、ＵＥ４１０は、図３において例示されるＵＥ３２０、図２において例示されるＵＥ２０６、もしくはＨＮＢ４２０と通信することができる任意の適切なモバイルデバイスのうちの１つであり得る。同様に、開示の様々な態様において、ＨＮＢ４２０は、図３において例示されるフェムトセルユニット３１０、もしくは任意の適切なフェムトセルユニットであり得る。さらにＵＥ４１０及びＨＮＢ４２０のそれぞれは、１つまたは複数のプロセッサ１０４、コンピュータ読取可能媒体１０６、及びバスインタフェース１０８を含む、図１において例示されるような処理システム１００を含み得る。図４の例示において、プロトコルスタックの様々な層がＵＥ４１０及びＨＮＢ４２０において例示される。これらの層が、様々な設計の選択に従って総合処理システム、もしくはコンピュータプログラム製品において具現化され得るか、別個のモジュールもしくは回路であり得ることを当業者は把握することになる。
【００２６】
ここにおいて、例示されたＵＥ４１０は、ＵＥ４１０に対するエラー回復及びフロー制御を扱う無線リンク制御（ＲＬＣ）層４１１、ＵＥ４１０に対するアドレス指定及びチャネルアクセス制御を提供するワイヤレスワイドエリアネットワーク（ＷＷＡＮ）媒体アクセス制御（ＭＡＣ）層４１２及びＵＥ４１０に関する基本的なハードウェア送信の詳細を扱うＷＷＡＮ物理（ＰＨＹ）層４１３を含むＷＷＡＮ層、ならびにＵＥ４１０に関するワイヤレスパーソナルエリアネットワーク（ＷＰＡＮ）接続を管理するＷＰＡＮホストコントローラ４１４及びＷＰＡＮを介するＵＥ４１０への無線リンクを提供するＷＰＡＮ無線機４１５を含むＷＰＡＮ層を含む。例示されたＨＮＢ４２０は、ＲＬＣ層４２１、ＷＷＡＮ  ＭＡＣ層４２２及びＷＷＡＮ  ＰＨＹ層４２３を含むＷＷＡＮ層、ならびにＷＰＡＮホストコントローラ４２４及びＷＰＡＮ無線機４２５を含むＷＰＡＮ層を含む。さらに、ＨＮＢ４２０は、以下で論じられるように、エアインタフェースに関連する支援情報(aiding information)を集めるために、ＨＮＢがマクロセルのような隣接するセル（例示されていない）からそのエアインタフェースを傍受することを可能にするネットワーク傾聴回路４３０に、通信可能に結合され得る。例示された例は、ネットワーク傾聴回路４３０及びＷＷＡＮ層４２３に対応している別個のアンテナを示しているけれども、いくつかの例において、ＷＷＡＮ  ＰＨＹ４２３及びネットワーク傾聴回路４３０は同じアンテナを共有し得る。
【００２７】
本開示の様々な態様に従って、ワイヤレスネットワーク内のＵＥ４１０に関するネットワーク取得時間を減少させるために、ＨＮＢ４２０は、ネットワーク傾聴回路４３０を利用することによって、いくつかの支援情報をセルラー式ネットワークから集め得る。さらに、支援情報は、コアネットワーク３５０（図３を参照）へのネットワークインタフェースを利用することによって、コアネットワークからＨＮＢ４２０によって獲得され得る。ＨＮＢ４２０は、低電力、帯域外無線リンクを介してＵＥ４１０にこの支援情報を提供し得る。ここにおいて、帯域外無線リンクは概して、ＷＷＡＮリンク４４０のものとは異なる帯域内のチャネルを介して通信する無線リンクである。１つの例において、帯域外無線リンクは、Ｂｌｕｅｔｏｏｔｈ（登録商標）インタフェース（ＢｌｕｅｔｏｏｔｈはＢｌｕｅｔｏｏｔｈ  ＳＩＧ  Ｉｎｃの登録商標である）もしくは任意の他の適切なＷＰＡＮインタフェースのようなワイヤレスＷＰＡＮインタフェースであり得る。ここにおいて前提は、ＷＰＡＮリンク４５０の取得がＷＷＡＮリンク４４０のシステム取得より速いことであり得る。開示の様々な態様において、ＵＥ４１０への支援情報の提供は、マクロセルとのエアインタフェースを介するＷＷＡＮへのアクセスを取得する際にＵＥ４１０を援助し得る。開示の別の態様において、支援情報の提供は、ＨＮＢ４２０のＷＷＡＮ  ＰＨＹ４２３とのエアインタフェースを介するＷＷＡＮリンク４４０へのアクセスを取得する際にＵＥ４１０を援助し得る。
【００２８】
ネットワーク傾聴ユニット４３０によって集められるか、またはコアネットワークへのバックホール接続の方法によって集められるかに関わらず、コアネットワークからの支援情報は、新たなセルが利用可能であることをレポートするような情報、パブリックランドモバイルネットワーク（ＰＬＭＮ）情報、利用可能なセルの基準信号のエネルギー（Ｅｃ）の全受信エネルギー（Ｉｏ）に対する比（Ｅｃ／Ｉｏ）の値、及び受信された信号コード電力（ＲＳＣＰ）、隣接するセルのランキング情報、キャリア周波数と周波数エラーとドリフトレートとを含むセル周波数情報、タイミング情報、例えばシステム情報ブロック（ＳＩＢ）３、１１、７、１２のようなＳＩＢを含むブロードキャスト情報、近隣のアクセスノードに関するスクランブリングコード及び／もしくは位相などを含む、１つまたは複数のマクロセルとのエアインタフェースについての情報を含み得る。さらに、ＨＮＢ４２０は、ＲＳＣＰ及びＥｃ／Ｉｏの値、周波数情報、タイミング情報、時空間送信ダイバーシチ（ＳＴＴＤ）構成、ＳＩＢなどを含み、ＨＮＢ４２０によってブロードキャストされるＷＷＡＮリンク４４０に特に関連する支援情報を共有し得る。
【００２９】
本開示の別の態様において、コアネットワークからの支援情報は、援助を受けた取得を実行する取得ＵＥ４１０に電力節約を提供し得る。つまり、ＨＮＢ４２０から支援情報を獲得することによって、取得ＵＥ４１０は、そのような情報自体を発見するために１つまたは複数の周波数帯域の網羅的なスキャンを実行した場合よりも少ない電力を消費し得る。ＨＮＢ４２０から支援情報を取得するために使用されるＷＰＡＮリンク４５０は、短距離、又は低電力インタフェースであり得るので、ＵＥ４１０とＨＮＢ４２０との間のＷＷＡＮリンク４４０よりも少ない電力を消費し得、ならびに実質的に、ＵＥ４１０と隣接するマクロセル（例示されていない）との間のＷＷＡＮインタフェースよりも少ない電力を消費し得る。従って電力消費は節約され得、ならびに取得アクセス端末の動作寿命は、延ばされ得る。
【００３０】
取得ＵＥ４１０に関するなお一層の更なる電力節約は、ＵＥ４１０が低電力状態を利用するときに達成され得る。つまり、開示の態様において、ＨＮＢ４２０とのＷＷＡＮリンク４４０を確立した後、ＵＥ４１０は、プロキシとしてＨＮＢ４２０を利用し、低電力状態に入り得、ここにおいて、ＷＷＡＮリンク４４０に対する、増幅器などのような、ＵＥ４１０におけるいくつかのより高い電力コンポーネントがオフにされる。つまり、開示の様々な態様に従って、ＵＥ４１０が標準の状態にある間、ならびにＵＥ４１０が低電力状態にある間、ＷＰＡＮリンク４５０はＨＮＢ４２０から支援情報を獲得するために利用され得る。従って、最初のキャリブレーション(calibration)及び時間／周波数調整は、ＵＥが低電力状態に入る度に実行され得る。ここにおいてＵＥ４１０は、ＲＲＣのアイドル状態モードにある間、ならびにＲＲＣ接続モードにある間、低電力状態で動作し得る。つまり、ＲＲＣ接続モードは、Ｅ−ＵＴＲＡ  ＲＲＣ接続モード、ＵＴＲＡ  ＲＲＣ接続モード、及び／もしくはＧＳＭ接続モードであり得る。さらに、ＵＥ４１０はＵＴＲＡ  ＲＲＣ接続モードにあるとき、ＵＲＡ＿ＰＣＨ状態、ＣＥＬＬ＿ＰＣＨ状態、ＣＥＬＬ＿ＤＣＨ状態、もしくはＣＥＬＬ＿ＦＡＣＨ状態にあり得、ＵＥ４１０はこれらの状態のうちの任意の１つの間ＷＰＡＮリンク４５０を介して支援情報を獲得し得る。さらに、ＲＲＣアイドル状態モードにおいて、ＵＥ４１０は、ネットワークからのページングをモニタリングし、周期的なチャネル測定、タイミング及び周波数取得、周波数間及び周波数内検索、ＲＡＴ間検索、ＵＳＩＭポーリングを実行し、ならびに周期的な位置更新を送信するために、（例えば、６４０ｍｓから５１２０ｍｓに及ぶ間欠受信（ＤＲＸ）サイクルの後）そのモデムを周期的にのみウェイクアップし得る。３ＧＰＰ標準規格に従って定義されるシステムに対するこれらのモードに関する詳細な情報は、参照により本明細書に組み込まれる、３ＧＰＰ無線リソース制御（ＲＲＣ）プロトコル仕様書ＴＳ２５．３３１．Ｖ９．１．０において見受けられ得る。
【００３１】
特に、ＣＥＬＬ＿ＦＡＣＨ状態は、ＷＷＡＮリンク４４０に関する専用の物理チャネルがＵＥ４１０に割り当てられておらず、ＲＲＣ接続が確立されていないけれども、ＵＥ４１０は共通の送信チャネルを使用する状態である。しかしながらＣＥＬＬ＿ＦＡＣＨ状態において、ＵＥ４１０は専用の論理チャネルを使用してデータを送信し得る。ＣＥＬＬ＿ＦＡＣＨ状態は概して、ＷＷＡＮリンク４４０を介してＵＥ４１０とＵＴＲＡＮとの間で交換されるトラフィックの量が小さいときに使用される。ＵＥ４１０はＦＡＣＨをモニタリングしている間にデータを受信し得、アップリンクでデータを送信するときにＲＡＣＨを使用し得る。ＵＥ４１０がＣＥＬＬ＿ＦＡＣＨ状態にあるとき、ＵＥ４１０は支援情報を獲得するためにＷＰＡＮリンク４５０と同様にブロードキャストチャネル（ＢＣＨ）を受信し得る。
【００３２】
ＨＮＢ４２０は、ネットワーク傾聴回路４３０の１つまたは複数、もしくはインターネットへのバックホール接続の方法でコアネットワークからページングメッセージ、もしくは他の情報を受信し得る。低電力状態に入ることは、ＵＥ４１０がチャネル測定、及び他の取得ならびに測定機能を実行できない場合があるので、ＵＥ４１０にそのタイミング及び周波数情報を失わせ得る。開示の態様において、ＵＥ４１０は低電力状態から周期的にウェイクアップし得（例えば、ＲＲＣアイドル状態モードもしくはＲＲＣ接続モードにおける標準状態に入り得）、最初のキャリブレーション及び時間／周波数調整を実行するために、ＷＷＡＮもしくはＷＰＡＮリンクを介して支援情報を取り出し得る。しかしながら電力を節約するために、開示の別の態様において、ＵＥ４１０は、より長い期間低電力状態に留まり得、後に最初のキャリブレーション及び時間／周波数調整を実行するために利用されるように低電力状態にある間ＷＰＡＮリンク４５０を介してＨＮＢ４２０から支援情報を取得し得る。開示のまた別の態様において、ＨＮＢ４２０は、ＵＥ４１０が低電力状態からウェイクアップするように命令するために、ＷＰＡＮリンク４５０を介してＵＥ４１０にウェイクアップインジケータを提供し得る。ここにおいてＨＮＢ４２０は、ウェイクアップインジケータの一部として、ならびに／あるいはウェイクアップインジケータとは異なる別個のメッセージにおいて、ＵＥ４１０に様々な支援情報を提供する支援情報メッセージを提供し得る。
【００３３】
従って開示の様々な態様に従って、ＵＥ４１０が、どちらかがＲＲＣ接続モード及びＲＲＣアイドル状態モードにおいて生じ得る標準あるいは低電力状態にある間、ＷＰＡＮリンク４５０は支援情報をＨＮＢ４２０からＵＥ４１０に提供するために利用され得る。ここにおいて低電力状態は、ＵＥ４１０において電力を節約するために適応された任意の適切な動作状態であり得る。
【００３４】
従来、システム取得は、ＵＥが１つまたは複数の周波数帯域内の全てのチャネルをシーケンシャルにスキャンすることによって度々、なされる。つまり、ＵＥ４１０が最初に電源をオンにされるとき、それはＵＥ４１０における加入者識別モジュール（ＳＩＭ）カードに格納されたＰＬＭＮ及びインターナショナルモバイル加入者識別（ＩＭＳＩ）情報を読み取り得る。ＩＭＳＩは、その加入に関連する永続的なＩＤとして、サービスプロバイダによってＵＥ（加入者）に割り当てられ得る。スタートアップの際に、ＵＥ４１０は通常、ＳＩＭからその格納されたＰＬＭＮ情報を読み取り、システム取得を始める。そのようなシステム取得は度々、周波数スキャンとそれに続く取得スキャンを伴う。周波数及び取得スキャンアルゴリズムは、実装依存であるけれども、ＵＥ４１０は、そのＳＩＭに格納されたＰＬＭＮ情報（例えば、通常そのホームＰＬＭＮもしくは最後の既知のＰＬＭＮ情報）を使用してシステム取得を最初に試み得る。このＰＬＭＮ情報を使用して適切なセルもしくはＮＢが見つけられなかった場合、ＵＥ４１０は、無線コンタクト内の全てのＰＬＭＮを識別しようとするために、その無線リソース制御のための周波数帯域が網羅的に検索される周波数スキャンアルゴリズムを実行することによってそのスキャンを拡張し得る。周波数スキャンアルゴリズムは、大まかな周波数スキャンとそれに続く細かな周波数スキャンを伴い得る。大まかな周波数スキャンの間、広い周波数帯域が、潜在的なＮＢ（セル）の狭い周波数帯域を識別するために、一定のインターバルでキャリア電力を検出することによって大まかにスキャンされる。細かな周波数スキャンにおいて、識別された潜在的なアクセスノードの周波数帯域が、特定のチャネルを識別するためにより細かなインターバルでスキャンされる。周波数スキャンアルゴリズムはまた、ＮＢもしくはセルからの基準信号を識別する試みにおいて、その電力検出の閾値を調整し得る。取得スキャンがその後実行され、ここにおいて、ＵＥ４１０は、ワイヤレスネットワークを介する通信のために使用し得るＮＢ（セル）に関するスクランブリングコード及び位相を取得するために、周波数及びコードスペースにおいて識別されたチャネルを検索する。平均的な取得時間は、検索された周波数帯域の数、各帯域における周波数割り当ての数、検索されたコードの数、チャネル状況、及びローカルＮＢ（セル）からの基準信号の強度の関数である。そのようなスキャンは数百の検索を伴い得るので、このことは結果としてＵＥに対する顕著な遅延及び電力消費になる。
【００３５】
開示の態様において、ネットワーク情報の事前知識を有さないＵＥ４１０は、プロキシとして動作するＨＮＢ４２０からＷＰＡＮリンク４５０を介してそのようなネットワーク情報を獲得するために、例えばＷＰＡＮ回路４１４、４１５のような第２の通信インタフェースを利用し得る。ここにおいてＨＮＢ４２０は、システム獲得プロセスのスピードを上げるためにネットワークについての支援情報を有し得る。例えば、ＵＥ４１０は、ネットワーク上にすでに登録されていることがある、ＨＮＢ４２０から支援情報を獲得し得る。１つの例において、ＵＥ４１０は、それが参加しようと意図するワイヤレスネットワークの事前知識を有さないことがある。しかしながらＵＥ４１０に対するプロキシとして動作するＨＮＢ４２０は、ネットワーク傾聴回路４３０及び／もしくは例えばインターネットの方法でのコアネットワークへのバックホール接続の方法で、ワイヤレスネットワーク情報（例えば、識別されたアクセスノード、通信周波数、チャネル、タイミング、スクランブリングコード、及び／もしくは位相など）をすでに獲得していることがある。
【００３６】
ＵＥ４１０及びＨＮＢ４２０は、ＷＷＡＮリンク４４０を提供するＷＷＡＮ回路４１２、４１３、及び４２２、４２３、ならびにＷＰＡＮリンク４５０を提供するＷＰＡＮ回路４１４、４１５、及び４２４、４２５（例えば、Ｂｌｕｅｔｏｏｔｈに準拠する）を含み得る。ＷＷＡＮ回路は、ワイヤレスネットワーク（例えば、ＵＴＲＡＮ）との通信インタフェースを提供するようにサービス提供する、ＵＭＴＳに準拠するインタフェース、ｃｄｍａ２０００、ＷｉＭａｘ、ＬＴＥなどをサポートし得る。ワイヤレスネットワークは、ネットワークコントローラが１つまたは複数の基地局を介するＵＥへの／ＵＥからの通信を容易にする管理されたネットワークであり得る。ＷＰＡＮ回路は、例えばピアツーピア通信を容易にし得る、Ｂｌｕｅｔｏｏｔｈインタフェースのような、短距離通信インタフェースをサポートし得る。ＷＰＡＮ回路によって確立されるＷＰＡＮリンク４５０は、ワイヤレスネットワークと関連しない場合がある。
【００３７】
ＵＥ４１０は、起動して そのＷＷＡＮ回路４１２、４１３を介して予期されたホームネットワークを発見しないと、ＷＰＡＮ回路４１４、４１５を介してＨＮＢ４２０に関してスキャンし得る。代わりとして、ＵＥ４１０及びＨＮＢ４２０は、事前に確立された関連付けを有し得、もしくはそれぞれのＷＰＡＮ回路４１４、４１５と４２４、４２５との間に事前に確立されたＷＰＡＮリンク４５０が存在し得る。この例において、ＨＮＢ４２０はＷＷＡＮ回路４１２、４１３によって使用されるワイヤレスネットワークに関するネットワーク情報をすでに取得していることができる。ＵＥ４１０はＷＰＡＮ回路４１４、４１５の範囲内にＨＮＢ４２０を見つけ得る。ＵＥ４１０は、その後、それぞれのＷＰＡＮ回路４１４、４１５と４２４、４２５との間のＷＰＡＮリンク４５０を介してＨＮＢ４２０からネットワーク情報を獲得し得る。そのようなネットワーク情報は、例えば、エリアもしくは領域内でアクティブであるＰＬＭＮのリスト、短距離リンク基準周波数に対するオフセット周波数（例えば、１つまたは複数のアクセスノード、基地局などに関連する周波数を識別するオフセット周波数）のリスト、ならびにセル取得プロセスのスピードを上げるように使用され得る、（例えば、１つまたは複数のアクセスノード、基地局などに関連する）他の時間及び／もしくはコード情報を含み得る。そのようなネットワーク情報を使用して、ＵＥ４１０は、例えば、ＷＷＡＮリンク４４０を介してサービスを取得し得る。
【００３８】
いくつかの実装において、ＵＥ４１０は、異なるタイプのネットワーク（例えば、ＣＤＭＡ、ＧＳＭなど）を介して通信できるマルチモードのデバイスであり得る。つまり、ＷＷＡＮ回路４１２、４１３は、複数のエアインタフェースを介して通信することができてもよい。代わりとして、ＵＥ４１０は異なるタイプのネットワークに対する更なるネットワークインタフェースを含み得る。結果として、ＷＰＡＮリンク４５０リンクを介してＨＮＢ４２０から獲得されるネットワーク情報は、特定のタイプのワイヤレスネットワーク（例えば、ＧＳＭ、ＣＤＭＡなど）に特有であり得、特定のサービスプロバイダに関連する１つまたは複数のネットワークに特有であり得、ならびに／もしくはその領域においてローカルに利用可能であり、ＨＮＢ４２０に既知であり得る全てのネットワークに一般的であり得る。
【００３９】
ＨＮＢ４２０からネットワーク情報を獲得する別の特徴は、ＵＥ４１０が、そのような情報自体を発見するためにＷＷＡＮ回路４１２、４１３を利用して１つまたは複数の周波数帯域の網羅的なスキャンを実行した場合よりも少ない電力を消費し得ることである。ＷＰＡＮ回路４１４、４１５は、短距離または低電力インタフェースであり得るので、それは（より長距離の通信のために使用され得る）ＷＷＡＮ回路４１２、４１３よりも少ない電力を消費し得る。従って電力消費は節約され得、ならびにＵＥ４１０の動作寿命は延ばされ得る。このことは特に、ＵＥ４１０がバッテリにより電力供給される場合に、そのことが、デバイスが再チャージの間により長い期間動作し得ることを意味するので有用であり得る。
【００４０】
図５は、時間及び周波数キャリブレーションデータのような支援情報をＵＥ５０２に提供するために、ＨＮＢ５０４に対するクライアントとして動作するＵＥ５０２と、ＵＥ５０２に対するプロキシとして動作するＨＮＢ５０４との間で情報を交換する例示的なプロセスを例示するコールフロー図である。図６は、同じ例示的なプロセスを例示するフローチャートである。いくつかの例において、ＵＥ５０２は、図４において例示されるＵＥ４１０であり得、図１で例示される処理システムを含み得、同様に、ＨＮＢ５０４は図４において例示されるＨＮＢ４２０であり得、図１において例示される処理システムを含み得る。言うまでもなく、他の例において、上記で説明されたように、ＵＥ５０２は、任意の適切なモバイルデバイスであり得、ＨＮＢ５０４は任意の適切なフェムトセルユニットであり得る。ここにおいて、ＵＥ５０２は第１の無線機５０６及び第２の無線機５０８を含む。例えば、ＵＥ５０２の第１の無線機５０６は、ＨＮＢ５０４との通信チャネルを提供する回路であり得る。ここにおいて通信チャネルは、ＨＮＢ５０４とＵＥ５０２との間で音声、データ、及び／もしくは制御情報を伝搬する１つまたは複数の任意の適切な無線チャネルを含み得る。１つの例において、第１の無線機は、フェムトセルユニット５０４、マクロセル（示されていない）、もしくはそれぞれのＷＷＡＮリンクを介して通信できる任意の他の無線機とのＷＷＡＮリンクを提供するＷＷＡＮインタフェースであり得る。さらに、ＵＥ５０２の第２の無線機５０８はフェムトセルユニット５０４との、もしくはそれぞれのＷＰＡＮリンクを介して通信できる任意の他の無線機とのＷＰＡＮリンクを有効にする回路であり得る。さらにＨＮＢ５０４は、第１の無線機５１０及び第２の無線機５１２を含み得る。例えば、ＨＮＢ５０４の第１の無線機５１０は、ＵＥ５０２、もしくはそれぞれのＷＷＡＮリンクを介して通信できる任意の他の無線機とのＷＷＡＮリンクを有効にする回路であり得る。さらに、ＨＮＢ５０４の第２の無線機５１２はＵＥ５０２、もしくはそれぞれのＷＰＡＮリンクを介して通信できる任意の他の無線機とのＷＰＡＮリンクを有効にする回路であり得る。
【００４１】
ブロック６０２（図６を参照）において、プロセスは、ＵＥ５０２の第１の無線機５０６とＨＮＢ５０４の第１の無線機５１０との間のキャリブレーションを実行する。ここにおいて、キャリブレーションは、ＵＥ５０２とＨＮＢ５０４との間で情報を交換することを含み得、ここにおいて情報は、ＷＷＡＮリンクを介する通信のタイミング及び／もしくは周波数を同期する時間及び／もしくは周波数キャリブレーション情報を含み得る。
【００４２】
ブロック６０４において、ＵＥ５０２は低電力状態に入る。開示の態様において、ブロック６０４は、プロセスにおいてスキップされ得る。つまり、ＵＥ５０２の調整もしくは再キャリブレーションを含む以下のステップが、アクティブモード、接続モード、及び／もしくはＣＥＬＬ＿ＦＡＣＨ状態を含む本質的に任意のモードで実行され得る。ブロック６０４において例示されるように、ＵＥ５０２は低電力状態に入るとき、ＵＥ５０２はより少ない電力を使用し得、延ばされたバッテリ寿命を有し得る。
【００４３】
ブロック６０６において、トリガイベントがＨＮＢ５０４において生じ得る。例えば、トリガイベントは、トリガのために指定されたタイマの満了時に定期的に生じ得る。別の例において、トリガイベントは、ＨＮＢ５０４によって判断されるようなシステム情報における変化の際に生じ得る。例えば、図４において例示されるように、ＨＮＢ４２０は、ＨＮＢ４２０が１つまたは複数の隣接するセルからのシステム情報を、断続的に、周期的に、あるいは継続的に監視し、集め得るネットワーク傾聴モジュール４３０を含み得る。さらに、ＨＮＢ４２０は、コアネットワーク（図３を参照）へのバックホールインタフェースを含み得る。例えば、ＨＮＢ４２０がネットワーク傾聴モジュール、及び／もしくはバックホールインタフェースを利用して集め得る支援情報は、新たなセルが配置されたとき、あるいは利用可能なときの新たなセルのレポート、隣接するセルの及びフェムトセルの受信された信号コード電力（ＲＳＣＰ）及び／もしくはＥｃ／Ｉｏの値（絶対もしくは差分の）ような基準信号強度情報、例えばいくつかの隣接するセルからの基準信号強度情報のランキングのような隣接するセルのランキング情報、例えばキャリア周波数と周波数エラーとドリフトレートのようなセル周波数情報、例えば絶対的タイミング、（例えば、ＨＮＢのＷＡＮとＰＡＮとの間の、もしくはＨＮＢとマクロセルもしくは他の外部エンティティとの間の）差分タイミング、もしくはタイミングドリフトのようなタイミング情報、ＨＮＢの時空間送信ダイバーシチ（ＳＴＴＤ）構成、あるいは例えばシステム情報ブロック（ＳＩＢ）（例えば、ＳＩＢ３、１１、７、１２など）のようなブロードキャスト情報を含み得る。従って、開示の態様において、トリガイベント６０６は、ＨＮＢ５０４が上記で論じられたネットワーク情報への更新及び／もしくは支援情報を受信するときに生じ得る。
【００４４】
開示のいくつかの態様に従う別の例において、トリガイベント６０６は、タイミング更新などのような支援情報を求めるＵＥ５０２からの要求であり得る。ここにおいて、ＵＥ５０２は支援情報を求める要求を提供するとき、その要求は、第２の無線機５０８を利用して（例えば、ＷＰＡＮエアインタフェースを使用して）、フェムトセルもしくはＨＮＢ５０４に限定されないがこれらを含む任意の近隣のデバイスからの支援情報を要求しながらＵＥ５０２からブロードキャストされ得る。代わりとして、あるいは追加で、支援情報を求める要求は、ＵＥ５０２が以前に通信を確立したＨＮＢ５０４に特に向けられた要求メッセージにおいて、第２の無線機５０８（例えば、ＷＰＡＮエアインタフェース）を利用してＨＮＢ５０４への専用のメッセージとして提供され得る。
【００４５】
ブロック６０８において、ＨＮＢ５０４は、調整が保証される(warranted)ことをＵＥ５０２が通知されるべきであると判断し得る。例えば、タイミング及び／もしくは周波数調整に対応する変化が保証されるとき、ＨＮＢ５０４は、ＵＥ５０２に提供されるタイミング及び／もしくは周波数調整に対応する支援情報を判断し得る。従って、ブロック６１０においてＨＮＢ５０４は、第２の無線機５１２（例えば、ＷＰＡＮインタフェース）を利用してブロック６０８において判断された支援情報をＵＥ５０２に送信し得る。開示のいくつかの態様において、支援情報は、ＷＷＡＮリンクを介する適切なチャネルを利用してＵＥ５０２に提供され得る。支援情報がＷＰＡＮリンクを介して提供されるとき、ＵＥ５０２は、その第２の無線機５０８（例えば、そのＷＰＡＮインタフェース）を利用してこの支援情報を受信し得る。ここにおいてＵＥ５０２は、ブロック６０４に関連して上記で論じられたように、標準もしくは低電力状態にあり得る。
【００４６】
開示のいくつかの態様に従って、ＵＥ５０２は低電力状態にあるとき、ＵＥ５０２は、低電力状態からのウェイクアップの際のアクセスに適切なメモリにＷＷＡＮリンクもしくはＷＰＡＮリンクを介して受信された支援情報を格納し得る。つまり、調整情報は、ＵＥが低電力状態にある間、調整のために利用されない場合がある。開示のいくつかの他の態様に従って、ＵＥ５０２は、調整情報を、それが受信されたとき、つまり、ＵＥ５０２が標準状態か低電力状態かに関わらず、利用し得る。
【００４７】
ブロック６１２において、ＵＥ５０２は低電力状態からウェイクアップし得る。つまり、ＵＥ５０２がブロック６０４において低電力状態に入る開示の態様において、ＵＥ５０２は、例えば、第１の無線機５０６（例えば、ＷＷＡＮインタフェース）を利用してＨＮＢ５０４と通信するために、低電力状態からウェイクアップし得る。ウェイクアップ６１２の後か支援情報を受信した直後かに関わらず、どのような場合でも第２の無線機５０８（例えば、ＷＰＡＮインタフェース）に対応するＵＥ５０２における回路は、第１の無線機５０６（例えば、ＷＷＡＮインタフェース）に対応する回路が支援情報に従って調整もしくは再構成され得るように、第１の無線機５０６に対応する回路に受信された支援情報を提供する。開示の様々な態様において、ブロック６０６−６１４におけるプロセスは、ＵＥ５０２のスリープとウェイクアップの間で何度も繰り返し得る。ブロック６１６において、ＵＥはＨＮＢ５０４から提供される支援情報を利用して、第１の無線機５０６（例えば、ＷＷＡＮインタフェース）に対応するエアインタフェースの測定及び取得を実行する。
【００４８】
このように、ＵＥ５０２はウェイクアップにおいてシステム情報が利用可能であることに基づいて、例えば、第１の無線機５０６とのリンクのより速い取得のような、向上したパフォーマンスが可能であり得る。従って、低電力状態を利用するＵＥ５０２は、より延ばされた期間、この状態に留まり得る。さらに、取得及び測定と関連する第１の無線機とのリンク（例えば、ＷＷＡＮ）の取得における任意の遅延は、ＵＥ５０２の反応を向上させながら、減少し得る。従って、ＷＷＡＮリンクの取得の際、ＵＥ５０２は、第１の無線機を利用して接続を確立し得る。ここにおいて接続は、データコール、音声コール、もしくは３ＧＰＰや３ＧＰＰ２やＩＥＥＥなどによって公表された標準規格において定義されたもののようなプロトコルを利用する任意の他のＷＷＡＮコールを含み得る。つまり、ＵＥ５０２がセルに対応するネットワークとの接続を確立するとき、ＵＥ５０２はＨＮＢ５０４のＷＷＡＮを利用していることがある。ＨＮＢ５０４は、インターネットを利用するコアネットワークへのバックホール接続の方法でネットワークとの通信を提供し得る、あるいは代わりとして、エアインタフェースを介してセルと通信し得る。
【００４９】
図７は、ＵＥ７０２とＨＮＢ７０４との間で情報を交換する開示の別の態様を例示するコールフロー図である。図８は、同じ例示的なプロセスを例示するフローチャートである。本明細書で説明されるいくつかのコンポーネント及びプロセスのステップは、図６−７に関連して上記で論じられるものと同じであるので、同じであるもののいくつかは、本明細書で詳細に論じられない。ここにおいてＵＥ７０２は、第１の無線機７０６（例えば、ＷＷＡＮインタフェース）及び第２の無線機７０８（例えば、ＷＰＡＮインタフェース）を含み得る。同様にＨＮＢ７０４は、第１の無線機７１０（例えば、ＷＷＡＮインタフェース）及び第２の無線機７１２（例えば、ＷＰＡＮインタフェース）を含み得る。
【００５０】
ブロック８０２（図８を参照）において、プロセスは、ＵＥ７０２において、第１の無線機７０６（例えば、ＷＷＡＮインタフェース）に対応する回路と第２の無線機７０８（例えば、ＷＰＡＮインタフェース）に対応する回路との間でキャリブレーションを実行する。例えばキャリブレーションは、第１の及び第２の無線機７０６及び７０８に対応するそれぞれのクロックのキャリブレーションであり得る。同様に、ブロック８０４において、プロセスは、ＨＮＢ７０４において、第１の無線機７１０（例えば、ＷＷＡＮインタフェース）に対応する回路と第２の無線機７１２（例えば、ＷＰＡＮインタフェース）に対応する回路との間でキャリブレーションを実行する。例えばキャリブレーションは、第１の及び第２の無線機７１０及び７１２に対応するそれぞれのクロックのキャリブレーションであり得る。開示の態様において、ＵＥの第１の及び第２の無線機７０６及び７０８は同じユニットにあるので、それらは同じブロックを共有し得、この場合、キャリブレーションステップ８０２は省略され得る。同様に、ＨＮＢ７０４の第１の及び第２の無線機７１０及び７１２は同じユニットにあり、それらはまた、クロックを共有し得、この場合、キャリブレーションステップ８０４は省略され得る。
【００５１】
ブロック８０６において、ＵＥ７０２は低電力状態に入る。また、ＵＥ７０２は本質的に任意のモードもしくは状態の間、システムもしくは調整情報を受信するように構成され得るので、開示のいくつかの態様に従って、ステップ８０６は任意であり、プロセスから削除され得る。ブロック８０８において、トリガイベントがＨＮＢ７０４において生じ得る。トリガイベントの発生に際に、プロセスは、調整が保証されることをＵＥ５０２が通知されるべきことをＨＮＢ７０４が判断し得るブロック８１０に移り得る。例えば、調整がＷＷＡＮエアインタフェースに対応する時間及び／もしくは周波数情報における変化に対応するとき、ＨＮＢ７０４の第１の無線機７１０（例えば、ＷＷＡＮインタフェース）に対応する回路はこの支援情報をＨＮＢ７０４の第２の無線機７１２（例えば、ＷＰＡＮインタフェース）に対応する回路に提供する。第１の無線機７１０に対応する回路、及び第２の無線機７１２に対応する回路がクロックを共有し、ならびに支援情報がタイミング情報における変化に対応する、開示の態様において、トリガイベント８０８に応じた第１の無線機７１０に対応するクロックの調整が自動的に第２の無線機７１２に対応するクロックを調整し得る。従って、ブロック８１２においてＨＮＢ７０４は、第２の無線機７１２（例えば、ＷＰＡＮインタフェース）を利用してブロック８１０において判断された支援情報をＵＥ７０２に送信し得る。ＵＥ７０２は、その第２の無線機７０８（例えば、そのＷＰＡＮインタフェース）を利用してこの情報を受信し得る。ここにおいて、第２の無線機７０８に対応するＵＥ７０２における回路は、第１の無線機７０６に対応する回路が支援情報に従って調整もしくは再構成され得るように、受信された調整情報を第１の無線機７０６に対応する回路に提供する。ＵＥ７０２は、その第２の無線機７０８を利用してこの支援情報を受信し得る。ブロック８１４において、ＵＥ７０２における第２の無線機７０８に対応する回路は、支援情報に応じる。ここにおいて、支援情報が、タイミング情報に対応するとき、ＵＥ７０２の第２の無線機７０８（例えば、ＷＰＡＮインタフェース）に対応する回路はタイミング情報に応じてＨＮＢ７０４におけるクロックと同期される。支援情報がタイミング情報に対応し、ＵＥ７０２における第１の無線機７０６に対応する回路が、ＵＥ７０２における第２の無線機７０８に対応する回路とクロックを共有する例において、タイミング情報に応じた第２の無線機７０８に関するクロックの調整は、自動的に第１の無線機７０６に対応する回路のタイミングに影響を与え得る。
【００５２】
ブロック８１６において、ＵＥは低電力状態からウェイクアップし得る。ブロッ８１８において、ＵＥ７０２は、ＵＥ７０２の第１の無線機７０６に対応する回路に第２の無線機７０８によって受信された任意の支援情報を提供し得る。例えば、支援情報がタイミング情報であるとき、第２の無線機７０８に対応する回路は、ＵＥ７０２における第１の無線機７０６に対応する回路に受信されたタイミング情報を提供し得る。ブロック８２０において、ＵＥはＨＮＢ７０４から提供された支援情報を利用して、第１の無線機７０６（例えば、ＷＷＡＮインタフェース）に対応するエアインタフェースの測定及び取得を実行する。
【００５３】
明細書は本発明の特定の例を説明しているけれども、当業者は、発明のコンセプトから逸脱することなく本願の変形を案出し得る。例えば、本明細書におけるある特定の教示が回線交換ネットワーク要素を称し得るのに対して、それらは同様にパケット交換ドメインネットワーク要素に適用可能である。
【００５４】
当業者は、情報及び信号が、多様で異なる技術及び技法のいずれかを使用して表され得ることを理解することになる。例えば、上記の記述全体を通して参照され得るデータ、命令、コマンド、情報、信号、ビット、シンボル、及びチップは、電圧、電流、電磁波、磁場または磁性粒子、光学場または光学粒子、またはこれらのあらゆる組み合わせによって表され得る。
【００５５】
当業者はさらに、本明細書に開示された例と関係して記述されている様々な実例となる論理ブロック、モジュール、回路、方法、及びアルゴリズムが電子ハードウェア、コンピュータソフトウェア、もしくは両方の組み合わせとして実行され得ることを認識することになる。このハードウェアとソフトウェアの互換性を明確に例示するために、様々な実例となるコンポーネント、ブロック、モジュール、回路、方法、及びアルゴリズムが、それらの機能性という観点から一般的に上記で記述されている。ハードウェア、もしくは、ソフトウェアとしてそのような機能性が実行されるかどうかは、特定のアプリケーションとシステム全体に課された設計制約とに依存する。当業者は各特定のアプリケーションに対して様々な方法で記述された機能性を実行し得るが、そのような実行の決定は本開示の範囲からの逸脱を引き起こすとして解釈されるべきではない。
【００５６】
本明細書に開示された例と関係して記述される様々な実例となる論理ブロック、モジュール、及び回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたこれらの任意の組み合わせと一緒に実行または実装され得る。汎用プロセッサはマイクロプロセッサであり得るが、代わりとして、プロセッサは任意の従来のプロセッサ、コントローラ、マイクロコントローラ、またはステートマシンであり得る。プロセッサはまた、例えば、ＤＳＰとマイクロプロセッサ、複数のマイクロプロセッサ、ＤＳＰコアに連結した１つまたは複数のマイクロプロセッサ、もしくは任意の他のそのような構成の組み合わせといったコンピュータデバイスの組み合わせとしても実装され得る。
【００５７】
本明細書で開示される例に関係して記述される方法もしくはアルゴリズムは、直接的にハードウェアに、プロセッサによって実行されるソフトウェアモジュールに、もしくは、それら二つの組み合わせにおいて具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当技術分野において周知の記憶媒体のあらゆる他の形態に存在しうる。記憶媒体は、プロセッサが記憶媒体から情報を読み取り、記憶媒体に情報を書き込むことができるように、プロセッサに結合され得る。代わりとして、記憶媒体はプロセッサに一体化され得る。プロセッサ及び記憶媒体はＡＳＩＣに存在し得る。  
１つまたは複数の例示的な実施例において、記述された機能は、ハードウェア、ソフトウェア、ファームウェア、もしくはそれらの任意の組み合わせにおいて実行され得る。ソフトウェアにおいて実行された場合、この機能は、コンピュータ読取可能媒体上の１つまたは複数の命令またはコードとして格納または送信され得る。コンピュータ読取可能媒体は、コンピュータ記憶媒体と、ある箇所から別の箇所へのコンピュータプログラム移送を容易にする任意の媒体を含む通信媒体との両方を含む。記憶媒体はコンピュータによりアクセスされることができる任意の利用可能な媒体であり得る。限定ではなく例として、そのようなコンピュータ読取可能媒体は、ＲＡＭ、ＲＯＭ、ＥＥＰＲＯＭ、ＣＤ−ＲＯＭ、もしくは他の光学ディスク記憶媒体、磁気ディスク記憶媒体もしくは他の磁気記憶デバイス、もしくは命令あるいはデータ構造の形態で望ましいプログラムコードを搬送もしくは格納するために使用され得、コンピュータによってアクセスされ得る任意の他の媒体を含み得る。さらに、任意の接続手段は適切にコンピュータ読取可能媒体と呼ばれる。例えば、同軸ケーブル、光ファイバーケーブル、ツイストペア、デジタル加入者回線（ＤＳＬ）、または赤外線や無線やマイクロ波などのようなワイヤレス技術を使用してウェブサイト、サーバ、もしくは他の遠隔ソースからソフトウェアが送信される場合、そのときこの同軸ケーブル、光ファイバーケーブル、ツイストペア、ＤＳＬ、または赤外線や無線やマイクロ波などのようなワイヤレス技術は媒体の定義に含まれる。本明細書で使用されるようにディスク（Ｄｉｓｋ）及びディスク（Ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ）、フロッピー（登録商標）ディスク（ｆｌｏｐｐｙ（登録商標）  ｄｉｓｋ）及びブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもコンピュータ読取可能媒体の範囲内に含まれるべきである。
【００５８】
当業者が本発明を実施及び使用することを可能にするために、開示された例の以前の記述が提供される。これらの例に対する様々な変更は当業者には容易に明らかになり、本明細書において定義された包括的な本質は、本発明の趣旨または範囲を逸脱することなく他の例に適用され得る。従って、本発明は、本明細書に提示された例に制限されることを意図されておらず、本明細書に開示された原理及び新規な特徴と合致する最も広い範囲が与えられるべきである。
以下に、本願出願の当初の特許請求の範囲に記載された発明を付記する。
［Ｃ１］  ネットワークの少なくとも１つのセルに対応する支援情報を集めるネットワークインタフェースと、
ユーザ機器に通信チャネルを提供する第１の無線機と、
前記ユーザ機器に前記少なくとも１つのセルから集められる前記支援情報を備える支援情報メッセージを提供する第２の無線機と
を備えるワイヤレス通信のための装置。
［Ｃ２］  前記支援情報が、前記第１の無線機によって提供される前記通信チャネルを介する通信に影響を与えるために前記ユーザ機器によって利用されるように適合される、Ｃ１に記載の装置。
［Ｃ３］  前記支援情報が、前記第１の無線機によって提供される前記通信チャネルに対応する通信リンクのシステム取得を支援するために、前記ユーザ機器によって利用されるように更に適合される、Ｃ２に記載の装置。
［Ｃ４］  前記支援情報が、前記ユーザ機器と前記ネットワークの前記少なくとも１つのセルとの間の通信リンクの少なくとも１つのシステム取得を支援するために、前記ユーザ機器によって利用されるように適合される、Ｃ１に記載の装置。
［Ｃ５］  前記通信チャネルを介する前記通信が、前記ユーザ機器と前記ネットワークとの間の接続を備える、Ｃ２に記載の装置。
［Ｃ６］  前記支援情報が、前記ユーザ機器に低電力状態からウェイクアップするように命令するウェイクアップインジケータを備える、Ｃ１に記載の装置。
［Ｃ７］  前記第１の無線機が、ＷＷＡＮリンクを提供するように適合される、Ｃ１に記載の装置。
［Ｃ８］  前記第２の無線機が、低電力無線リンクを提供するように適合される、Ｃ１に記載の装置。
［Ｃ９］  前記第２の無線機が、帯域外無線リンクを提供するように適合される、Ｃ８に記載の装置。
［Ｃ１０］  前記ユーザ機器が低電力状態にあるとき、前記第２の無線機が前記ユーザ機器に前記支援情報を提供するように構成される、Ｃ１に記載の装置。
［Ｃ１１］  前記ユーザ機器が接続モードにあるとき、前記第２の無線機が前記ユーザ機器に前記支援情報を提供するように構成される、Ｃ１に記載の装置。
［Ｃ１２］  前記ユーザ機器がアイドル状態モードにあるとき、前記第２の無線機が前記ユーザ機器に前記支援情報を提供するように構成される、Ｃ１に記載の装置。
［Ｃ１３］  前記支援情報が、前記少なくとも１つのセルとのエアインタフェースに対応するチャネル測定、前記少なくとも１つのセルとの前記エアインタフェースに対応する周波数情報、前記少なくとも１つのセルからの基準信号の強度、前記ネットワークにおける複数のセルからの基準信号のランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、Ｃ１に記載の装置。
［Ｃ１４］  前記ネットワークインタフェースが、前記少なくとも１つのセルに対応するエアインタフェースを傍受するネットワーク傾聴回路を備える、Ｃ１に記載の装置。
［Ｃ１５］  前記ネットワークインタフェースは、前記ネットワークと通信するためにインターネット接続を利用するバックホール接続を備える、Ｃ１に記載の装置。
［Ｃ１６］  ユーザ機器との第１のワイヤレスリンクを調整するための支援情報を判断することと、
前記第１のワイヤレスリンクとは異なる第２のワイヤレスリンクを介して前記ユーザ機器に前記支援情報を送信することと、
前記第１のワイヤレスリンクを介して前記ユーザ機器と通信することと、
を備え、
ここにおいて、前記通信することは、前記支援情報に対応する前記第１のワイヤレスリンクへの調整を利用する、
ワイヤレス通信の方法。
［Ｃ１７］  前記第１のワイヤレスリンクを調整するための前記支援情報を前記第２のワイヤレスリンクを介して前記ユーザ機器に提供するために、前記第２のワイヤレスリンクを介して前記ユーザ機器から要求を受信すること
をさらに備える、Ｃ１６に記載の方法。
［Ｃ１８］  前記第１のワイヤレスリンクに対応するタイミング及び／もしくは周波数情報の最初のキャリブレーションを実行すること
をさらに備える、Ｃ１７に記載の方法。
［Ｃ１９］  前記支援情報を前記判断することは、前記最初のキャリブレーションからの期間に、前記第１のワイヤレスリンクに対応する前記タイミング及び／もしくは周波数情報における変化を判断することを備える、Ｃ１８に記載の方法。
［Ｃ２０］  前記最初のキャリブレーションを前記実行することは、前記第１のワイヤレスリンクに対応する回路を利用して前記ユーザ機器と前記フェムトセルとの間で前記タイミング及び／もしくは周波数情報を同期することを備え、
前記支援情報を前記判断することは、前記第１のワイヤレスリンクに対応する前記回路から前記第２のワイヤレスリンクに対応する回路に前記支援情報を提供することを備える、
Ｃ１８に記載の方法。
［Ｃ２１］  前記最初のキャリブレーションを前記実行することは、前記第１のワイヤレスリンクに対応する回路と前記第２のワイヤレスリンクに対応する回路との間で前記タイミング及び／もしくは周波数情報を同期することを備え、
前記支援情報を前記判断することは、さらに、前記第１のワイヤレスリンクに対応する前記回路から前記第２のワイヤレスリンクに対応する前記回路に前記支援情報を提供することを備える、
Ｃ１８に記載の方法。
［Ｃ２２］  前記支援情報が、前記少なくとも１つのセルとのエアインタフェースに対応するチャネル測定、前記少なくとも１つのセルとの前記エアインタフェースに対応する周波数情報、前記少なくとも１つのセルからの基準信号の強度、前記ネットワークにおける複数のセルからの基準信号のランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、Ｃ１６に記載の方法。
［Ｃ２３］  フェムトセルとの第１の無線リンクに対応するタイミング及び／もしくは周波数情報の最初のキャリブレーションを実行することと、
前記フェムトセルとの前記第１の無線リンクとは異なる前記フェムトセルとの第２の無線リンクを介して支援情報を受信することと、ここにおいて前記支援情報は、前記フェムトセルとの前記第１の無線リンクに対応する前記タイミング及び／もしくは周波数情報の調整に対応し、
前記支援情報に従って、前記フェムトセルとの前記第１の無線リンクのタイミング及び／もしくは周波数特性を調整することと
を備える、ワイヤレス通信の方法。
［Ｃ２４］  低電力状態に入ることをさらに備え、
前記支援情報を前記受信することが、前記低電力状態にある間に生じる、Ｃ２３に記載の方法。
［Ｃ２５］  アイドル状態モードに入ることをさらに備え、
前記支援情報を前記受信することが、前記アイドル状態モードにある間に生じる、Ｃ２３に記載の方法。
［Ｃ２６］  フェムトセルとの第１の無線リンクに対応するタイミング及び／もしくは周波数情報の最初のキャリブレーションを実行する手段と、
前記フェムトセルとの前記第１の無線リンクとは異なる前記フェムトセルとの第２の無線リンクを介して支援情報を受信する手段と、ここにおいて前記支援情報は、前記フェムトセルとの前記第１の無線リンクに対応する前記タイミング及び／もしくは周波数情報の調整に対応し、
前記支援情報に従って、前記フェムトセルとの前記第１の無線リンクのタイミング及び／もしくは周波数特性を調整する手段と
を備える、ワイヤレス通信のための装置。
［Ｃ２７］  低電力状態に入る手段をさらに備え、
前記支援情報を受信する前記手段は、前記低電力状態にある間に前記支援情報を受信するように構成される、
Ｃ２６に記載の装置。
［Ｃ２８］  アイドル状態モードに入る手段をさらに備え、
前記支援情報を受信する前記手段は、前記アイドル状態モードにある間に前記支援情報を受信するように構成される、
Ｃ２６に記載の装置。
［Ｃ２９］  ユーザ機器との第１のワイヤレスリンクを調整するための支援情報を判断する手段と、
前記第１のワイヤレスリンクとは異なる第２のワイヤレスリンクを介して前記支援情報を前記ユーザ機器に送信する手段と、
前記第１のワイヤレスリンクを介して前記ユーザ機器と通信する手段と
を備え、
通信する前記手段は、前記支援情報に対応する調整を利用するように構成される、ワイヤレス通信のための装置。
［Ｃ３０］  前記第１のワイヤレスリンクを調整するための前記支援情報を前記第２のワイヤレスリンクを介して前記ユーザ機器に提供するために、前記第２のワイヤレスリンクを介して前記ユーザ機器から要求を受信する手段
をさらに備える、Ｃ２９に記載の装置。
［Ｃ３１］  前記第１のワイヤレスリンクに対応するタイミング及び／もしくは周波数情報の最初のキャリブレーションを実行する手段
をさらに備える、Ｃ２９に記載の装置。
［Ｃ３２］  前記支援情報を判断する前記手段は、前記最初のキャリブレーションからの期間に、前記第１のワイヤレスリンクに対応する前記タイミング及び／もしくは周波数情報における変化を判断する手段を備える、Ｃ３１に記載の装置。
［Ｃ３３］  前記最初のキャリブレーションを実行する前記手段は、前記第１のワイヤレスリンクを提供する手段を利用して前記ユーザ機器と前記フェムトセルとの間で前記タイミング及び／もしくは周波数情報を同期する手段を備え、  
前記支援情報を判断する前記手段は、前記第１のワイヤレスリンクを提供する前記手段から前記第２のワイヤレスリンクを提供する手段に、前記支援情報を提供する手段を備える、
Ｃ３１に記載の装置。
［Ｃ３４］  前記最初のキャリブレーションを実行する前記手段は、前記第１のワイヤレスリンクを提供する手段と前記第２のワイヤレスリンクを提供する手段との間で前記タイミング及び／もしくは周波数情報を同期する手段を備え、
前記支援情報を判断する前記手段は、前記第１のワイヤレスリンクを提供する前記手段から前記第２のワイヤレスリンクを提供する前記手段に、前記支援情報を提供する手段を
さらに備える、Ｃ３１に記載の装置。
［Ｃ３５］  前記支援情報が、少なくとも１つのセルとのエアインタフェースに対応するチャネル測定、前記少なくとも１つのセルとの前記エアインタフェースに対応する周波数情報、前記少なくとも１つのセルからの基準信号の基準信号強度、前記少なくとも１つのセルを含む複数のセルからの前記基準信号の基準信号ランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、Ｃ２９に記載の装置。
［Ｃ３６］  ユーザ機器との第１のワイヤレスリンクを調整するための支援情報を判断することと、
前記第１のワイヤレスリンクとは異なる第２のワイヤレスリンクを介して前記支援情報を前記ユーザ機器に送信することと、
前記第１のワイヤレスリンクを介して前記ユーザ機器と通信することと
のためのコードを備えるコンピュータ読取可能媒体、
を備え、
前記通信することは、前記支援情報に対応する調整を利用する
コンピュータプログラム製品。
［Ｃ３７］  前記コンピュータ読取可能媒体は、前記第１のワイヤレスリンクを調整するための前記支援情報を前記第２のワイヤレスリンクを介して前記ユーザ機器に提供するために前記第２のワイヤレスリンクを介して前記ユーザ機器から要求を受信するコードをさらに備える、Ｃ３６に記載のコンピュータプログラム製品。
［Ｃ３８］  前記コンピュータ読取可能媒体は、前記第１のワイヤレスリンクに対応するタイミング及び／もしくは周波数情報の最初のキャリブレーションを実行するコードをさらに備える、Ｃ３７に記載のコンピュータプログラム製品。
［Ｃ３９］  前記支援情報を判断する前記コードは、前記最初のキャリブレーションからの期間に、前記第１のワイヤレスリンクに対応する前記タイミング及び／もしくは周波数情報における変化を判断するコードを備える、Ｃ３８に記載のコンピュータプログラム製品。
［Ｃ４０］  前記最初のキャリブレーションを実行する前記コードは、前記第１のワイヤレスリンクに対応する回路を利用して前記ユーザ機器と前記フェムトセルとの間で前記タイミング及び／もしくは周波数情報を同期するコードを備え、
前記支援情報を判断する前記コードは、前記第１のワイヤレスリンクに対応する前記回路から前記第２のワイヤレスリンクに対応する回路に前記支援情報を提供するコードを備える、
Ｃ３８に記載のコンピュータプログラム製品。
［Ｃ４１］  前記最初のキャリブレーションを実行する前記コードは、前記第１のワイヤレスリンクに対応する回路と前記第２のワイヤレスリンクに対応する回路との間で前記タイミング及び／もしくは周波数情報を同期するコードを備え、
前記支援情報を判断する前記コードは、前記第１のワイヤレスリンクに対応する前記回路から前記第２のワイヤレスリンクに対応する前記回路に前記支援情報を提供するコードをさらに備える、
Ｃ３８に記載のコンピュータプログラム製品。
［Ｃ４２］  前記支援情報が、少なくとも１つのセルとのエアインタフェースに対応するチャネル測定、前記少なくとも１つのセルとの前記エアインタフェースに対応する周波数情報、前記少なくとも１つのセルからの基準信号の強度、前記ネットワークにおける複数のセルからの基準信号のランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、Ｃ３６に記載のコンピュータプログラム製品。
［Ｃ４３］  少なくとも１つのプロセッサと、
前記少なくとも１つのプロセッサに結合されたメモリと
を備え、
前記少なくとも１つのプロセッサは、
ユーザ機器との第１のワイヤレスリンクを調整するための支援情報を判断し、
前記第１のワイヤレスリンクとは異なる第２のワイヤレスリンクを介して前記支援情報を前記ユーザ機器に送信し、
前記第１のワイヤレスリンクを介して前記ユーザ機器と通信する
ように構成され、
前記通信することは、前記支援情報に対応する調整を利用する
ワイヤレス通信のための装置。
［Ｃ４４］  前記少なくとも１つのプロセッサは、前記第１のワイヤレスリンクを調整するための前記支援情報を前記第２のワイヤレスリンクを介して前記ユーザ機器に提供するために、前記第２のワイヤレスリンクを介して前記ユーザ機器から要求を受信するようにさらに構成される、Ｃ４３に記載の装置。
［Ｃ４５］  前記少なくとも１つのプロセッサは、前記第１のワイヤレスリンクに対応するタイミング及び／もしくは周波数情報の最初のキャリブレーションを実行するようにさらに構成される、Ｃ４４に記載の装置。
［Ｃ４６］  前記支援情報を前記判断することは、前記最初のキャリブレーションからの期間に、前記第１のワイヤレスリンクに対応する前記タイミング及び／もしくは周波数情報における変化を判断することを備える、Ｃ４５に記載の装置。
［Ｃ４７］  前記最初のキャリブレーションを前記実行することは、前記第１のワイヤレスリンクに対応する回路を利用して前記ユーザ機器と前記フェムトセルとの間で前記タイミング及び／もしくは周波数情報を同期することを備え、
前記支援情報を前記判断することは、前記第１のワイヤレスリンクに対応する前記回路から前記第２のワイヤレスリンクに対応する回路に前記支援情報を提供することを備える、
Ｃ４５に記載の装置。
［Ｃ４８］  前記最初のキャリブレーションを前記実行することは、前記第１のワイヤレスリンクに対応する回路と前記第２のワイヤレスリンクに対応する回路との間で前記タイミング及び／もしくは周波数情報を同期することを備え、
前記支援情報を前記判断することは、前記第１のワイヤレスリンクに対応する前記回路から前記第２のワイヤレスリンクに対応する前記回路に前記支援情報を提供することをさらに備える、
Ｃ４５に記載の装置。
［Ｃ４９］  前記支援情報が、前記少なくとも１つのセルとのエアインタフェースに対応するチャネル測定、前記少なくとも１つのセルとの前記エアインタフェースに対応する周波数情報、前記少なくとも１つのセルからの基準信号の強度、前記ネットワークにおける複数のセルからの基準信号のランキング情報、前記第１の無線機に対応する絶対的タイミング、前記第１の無線機と前記第２の無線機との間のタイミングにおける差異に対応する差分タイミング、隣接するセルの絶対的タイミング、あるいは、前記第１の無線機と隣接するセルとの間のタイミングにおける差異に対応する差分タイミング、のうちの少なくとも１つを備える、Ｃ４３に記載の装置。
【図１】
0005646759.tif 000002
【図２】
0005646759.tif 000003
【図３】
0005646759.tif 000004
【図４】
0005646759.tif 000005
【図５】
0005646759.tif 000006
【図６】
0005646759.tif 000007
【図７】
0005646759.tif 000008
【図８】
0005646759.tif 000009